Podtech/llm-jp-corpus-v4-ja_patent huggingface dataset:
【手続補正書】
【提出日】平成21年2月16日(2009.2.16)
【手続補正１】
【補正対象書類名】特許請求の範囲
【補正対象項目名】全文
【補正方法】変更
【補正の内容】
【特許請求の範囲】
【請求項１】
式（Ｉ）の化合物、又はその薬理学的に許容できる塩。
【化１】
2008531574.tif 000001
（Ｉ）
（Ｒ１（ａ）は−（ＣＨ２）１−４ＮＲ２Ｒ３基で任意に置換できる２−ピリドニル基であるか、又は
（ｂ）フェニル、チエニル、チアゾリル、イミダゾリル、ピラゾリル、トリアゾリル、オキサゾリル、ピリジニル、Ｎ−オキソ−ピリジニル又はピリミジニル基であり、
全て任意に−（ＣＨ２）０−４ＮＲ２Ｒ３、又はアミノ、ピロリジニル若しくはモルホリニル基で任意に置換できるＣ１−Ｃ６アルキル基で置換できるか、
或いは、Ｃ１−Ｃ４アルコキシ、ハロ、（Ｃ１−Ｃ６アルキル）スルホニル、ニトロ、−スルホニル（ＣＨ２）０−４ＮＲ２Ｒ３、及び−カルボニル（ＣＨ２）０−４ＮＲ２Ｒ３からなる群から独立に選択される１〜２個の置換基で置換でき、
Ｒ２は水素又はヒドロキシ基で任意に置換できるＣ１−Ｃ６アルキル基であり、
Ｒ３は水素又はヒドロキシ、トリフルオロメチル又はピロリジニル基で任意に置換できるＣ１−Ｃ６アルキルであるか、或いは、Ｒ２、Ｒ３及びそれらが結合する窒素原子が、ピペリジニル基、Ｃ１−Ｃ６アルキルで任意に置換できるピペラジニル基、又はモルホリニル基を形成し、
Ｒ４はハロ、アミノ、メチル、トリフルオロメチル及びニトロ基からなる群から選択される１〜３個の置換基で任意に置換できるチアゾリル、ピリジニル又はフェニル基であり、
Ｒ５はＣ（Ｏ）ＮＨＲ６、ＯＣ（Ｏ）ＮＨＲ６、ＮＨＣ（Ｏ）ＣＨ２Ｒ６、ＮＨＣ（Ｏ）ＮＨＲ６又はＣ（Ｓ）ＮＨＲ６であり、
ＯＣ（Ｏ）ＮＨＲ６、ＮＨＣ（Ｏ）ＣＨ２Ｒ６の場合、ｎは０〜４であり、ＮＨＣ（Ｏ）ＮＨＲ６、及びＣ（Ｏ）ＮＨＲ６及びＣ（Ｓ）ＮＨＲ６の場合、ｎは１〜４であり、
Ｒ６は（ａ）非置換テトラヒドロベンゾチアゾリル基であるか、或いは、
（ｂ）フェニル、ピリジニル、ピリミジニル、ピラゾリル、チアゾリル、イソチアゾリル、チアジアゾリル、イソキサゾリルであり、
いずれも独立に、ヒドロキシ、ジメチルアミノ、ピロリジニル、ピペリジニル若しくはモルホリニル基で任意に置換できるＣ１−Ｃ６アルキル基、ジメチルアミノカルボニル基で任意に置換できるＣ２−Ｃ６アルケニル基、Ｃ１−Ｃ６アルコキシ、トリフルオロメチル、ジフルオロメトキシ、トリフルオロメトキシ、ジメチルアミノエトキシ、フェノキシ、トリル、ハロ、メチルスルホニル、ジメチルアミノ、ジエチルアミノ、シアノ、ヒドロキシ、メトキシ、メトキシエトキシ若しくはメチル基で任意に置換できるＣ３−Ｃ６シクロアルキル基、３，４−ジメチルイソキサゾール−５−イル−アミノスルホニル、テトラヒドロピラニル、テトラヒドロピラニルアミノカルボニル、Ｃ２−Ｃ６アルキルカルボニル、モルホリニルカルボニル及びピペラジニルカルボニル基からなる群から選択される１〜３個の置換基で任意に置換できる。）
【請求項２】
Ｒ５がＣ（Ｏ）ＮＨＲ６である、請求項１記載の化合物。
【請求項３】
Ｒ１がフェニル、チエニル、チアゾリル又はピリジニル基であり、いずれも任意に−（ＣＨ２）０−４ＮＲ２Ｒ３、アミノ、ピロリジニル若しくはモルホリニル基で任意に置換できるＣ１−Ｃ６アルキル基、又はＣ１−Ｃ４アルコキシ、ハロ、（Ｃ１−Ｃ６アルキル）スルホニル、ニトロ、−スルホニル（ＣＨ２）０−４ＮＲ２Ｒ３、及び−カルボニル（ＣＨ２）０−４ＮＲ２Ｒ３からなる群から独立に選択される１〜２個の置換基で置換できる、請求項１又は２記載の化合物。
【請求項４】
請求項１から３のいずれか１項記載の化合物を含んでなる、感受性腫瘍の治療用に調整された医薬製剤。
【請求項５】
2-{2-フルオロ-4-[7-(2-メチル-ピリジン-4-イル)-イミダゾ[1,2-a]ピリジン-3-イル]-フェニル}-N-(3-トリフルオロメチル-フェニル)-アセトアミドである請求項１に記載の化合物又はその薬理学的に許容できる塩。
【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
ポロキサマーを含む、拡張機能障害を有する被験体を処置するための組成物であって、拡張機能障害が被験体において改善するような条件下で、該被験体に投与される、前記組成物。
【請求項２】
前記ポロキサマーが精製された又は分画されたポロキサマーである、請求項1記載の組成物。
【請求項３】
前記被験体がヒト被験体である、請求項1記載の組成物。
【請求項４】
静脈内投与を通じて投与される、請求項1記載の組成物。
【請求項５】
前記処置が前記被験体における急性心不全を予防する、請求項1記載の組成物。
【請求項６】
前記拡張機能障害の改善が前記被験体における左心室機能の改善を含む、請求項1記載の組成物。
【請求項７】
前記左心室機能の改善が前記被験体における基準血行動態の改善を含む、請求項6記載の組成物。
【請求項８】
前記拡張機能障害の改善が前記被験体における左心室拡張期容積の増加を含む、請求項1記載の組成物。
【請求項９】
前記被験体がジストロフィン欠損被験体である、請求項1記載の組成物。
【請求項１０】
前記被験体がデュシェンヌ型筋ジストロフィを有する、請求項9記載の組成物。
【請求項１１】
前記処置が前記被験体の心臓組織におけるカルシウム過負荷に対する感受性を減少させる、請求項1記載の組成物。
【請求項１２】
前記被験体の心臓組織におけるカルシウム過負荷に対する感受性の減少が、該被験体の心筋細胞における細胞内Ca2＋レベルの低下を含む、請求項11記載の組成物。
【請求項１３】
前記心筋細胞における細胞内Ca2＋レベルの低下が、前記被験体における心筋組織のリモデリングを予防するか又はリモデリングを逆行させる、請求項12記載の組成物。
【請求項１４】
前記処置が前記被験体の心臓組織における細胞拘縮及び細胞死を減少させる、請求項1記載の組成物。
【請求項１５】
前記ポロキサマーがP188である、請求項1記載の組成物。
【請求項１６】
前記ポロキサマーを含む組成物が、利尿剤、ループ利尿剤、カリウム保持性剤、血管拡張剤、ACE阻害剤、アンジオテンシンII拮抗剤、陽性変力剤、ホスホジエステラーゼ阻害剤、β-アドレナリン受容体拮抗剤、カルシウムチャネル遮断剤、ニトラート、α遮断剤、中枢性α拮抗剤、スタチン、又はこれらの薬剤の組み合わせからなる群より選択される1つ又はそれ以上の薬剤と同時投与される、請求項1記載の組成物。
【請求項１７】
ポロキサマーを含む、ジストロフィン欠損被験体における左心室拡張期容積を増加させるための組成物。
【請求項１８】
前記ポロキサマーの投与が前記被験体のジストロフィン欠損心筋細胞における細胞内カルシウム濃度を減少させる、請求項17記載の組成物。
【請求項１９】
ジストロフィン欠損筋細胞における細胞内カルシウム濃度の減少が、前記被験体のカルシウム過負荷に対する感受性を減少させる、請求項18記載の組成物。
【請求項２０】
前記ポロキサマーがP188である、請求項17記載の組成物。
【請求項２１】
前記被験体における左心室拡張期容積の増加が、該被験体における急性心不全を予防する、請求項17記載の組成物。
【請求項２２】
静脈内投与を通じて投与される、請求項17記載の組成物。
【請求項２３】
前記左心室機能の改善が前記被験体における基準血行動態の改善を含む、請求項6記載の組成物。
【請求項２４】
前記ジストロフィン欠損被験体がデュシェンヌ型筋ジストロフィを有するヒト被験体である、請求項17記載の組成物。
【請求項２５】
前記ジストロフィン欠損心筋細胞における細胞内カルシウム濃度の低下が、前記被験体における心筋組織のリモデリングを予防するか又はリモデリングを逆行させる、請求項18記載の組成物。
【請求項２６】
前記ポロキサマーが精製されたポロキサマーである、請求項17記載の組成物。
【請求項２７】
前記ポロキサマーを含む組成物が、利尿剤、ループ利尿剤、カリウム保持性剤、血管拡張剤、ACE阻害剤、アンジオテンシンII拮抗剤、陽性変力剤、ホスホジエステラーゼ阻害剤、β-アドレナリン受容体拮抗剤、カルシウムチャネル遮断剤、ニトラート、α遮断剤、中枢性α拮抗剤、スタチン、又はこれらの薬剤の組み合わせからなる群より選択される1つ又はそれ以上の薬剤と同時投与される、請求項17記載の組成物。
【請求項２８】
前記ポロキサマーが分画されたポロキサマーである、請求項17記載の組成物。
【請求項２９】
ポロキサマーを含む、心筋細胞におけるカルシウム濃度を減少させるための組成物。
【請求項３０】
前記心筋細胞がジストロフィン欠損心筋細胞を含む、請求項29記載の組成物。
【請求項３１】
前記ポロキサマーがP188である、請求項29記載の組成物。
【請求項３２】
前記ポロキサマーが精製された又は分画されたポロキサマーである、請求項29記載の組成物。
【請求項３３】
該心筋細胞の細胞拘縮を予防する、請求項29記載の組成物。
【請求項３４】
該心筋細胞の細胞死を予防する、請求項29記載の組成物。
【請求項３５】
ポロキサマー及び心臓病の処置に有用な薬剤を含む組成物。
【請求項３６】
前記心臓病の処置に有用な薬剤が、利尿剤、ループ利尿剤、カリウム保持性剤、血管拡張剤、ACE阻害剤、アンジオテンシンII拮抗剤、陽性変力剤、ホスホジエステラーゼ阻害剤、β-アドレナリン受容体拮抗剤、カルシウムチャネル遮断剤、ニトラート、α遮断剤、中枢性α拮抗剤、及びスタチンからなる群より選択される、請求項35記載の組成物。
【請求項３７】
前記組成物が心臓病の処置に有用な2つ又はそれ以上の薬剤を含む、請求項35記載の組成物。
【請求項３８】
前記ポロキサマーがP188である、請求項35記載の組成物。
【請求項３９】
前記ポロキサマーが、P138、P237、P288、P124、P338、及びP407からなる群より選択される、請求項35記載の組成物。
【請求項４０】
心筋細胞と接触するポロキサマーを含む組成物。
【請求項４１】
前記心筋細胞が拡張機能障害を有する被験体の心臓組織由来である、請求項40記載の組成物。
【請求項４２】
前記心筋細胞がジストロフィン欠損被験体の心臓組織由来である、請求項40記載の組成物。
【請求項４３】
前記ポロキサマーがP188である、請求項40記載の組成物。
【請求項４４】
前記ポロキサマーが、P138、P237、P288、P124、P338、及びP407からなる群より選択される、請求項40記載の組成物。
【手続補正書】
【提出日】平成21年1月26日(2009.1.26)
【手続補正１】
【補正対象書類名】特許請求の範囲
【補正対象項目名】全文
【補正方法】変更
【補正の内容】
【特許請求の範囲】
【請求項１】
反応室部と、
第１の反応物を有する貯蔵部と、
上記貯蔵部を上記反応室部に結合する流れ制御装置とを有し、
上記第１の反応物が上記貯蔵部から上記反応室部へ上記流れ制御装置を介して搬送されて反応してガスを生成し、かつ、上記反応室部の圧力が予め定められた停止圧力を越えるときに上記流れ制御装置が上記第１の反応物の搬送を停止し、
上記流れ制御装置は、当該流れ制御装置の少なくとも一部を、上記第１の反応物の搬送を可能にする第１の位置、または上記反応物の搬送を阻止する第２の位置へバイアスするバネ部材を有することを特徴とするガス発生装置。
【請求項２】
上記第１の反応物は毛細管現象により上記反応室部へ搬送される請求項１記載のガス発生装置。
【請求項３】
上記流れ制御装置は上記反応室部中に配された芯材部材に取り外し可能に結合できる芯材配管を有し、上記反応室部は第２の反応物を内包する請求項２記載のガス発生装置。
【請求項４】
上記芯材配管は、上記貯蔵部に内包された上記第１の反応物と接触する第１の端部と、上記芯材部材と接触して上記貯蔵部から上記反応室部への流路を形成することが可能な第２の端部とを有する請求項３記載のガス発生装置。
【請求項５】
上記芯材配管の上記第２の端部は上記バネ部材によって上記芯材部材に接触するようにバイアスされる請求項４記載のガス発生装置。
【請求項６】
上記芯材配管の上記第１の端部の近傍に結合可能な重りをさらに有する請求項４記載のガス発生装置。
【請求項７】
上記第２の端部は非透過性部材により支持される請求項４記載のガス発生装置。
【請求項８】
上記第１の反応物は圧力下で上記反応室部へ搬送される請求項１記載のガス発生装置。
【請求項９】
上記流れ制御装置は、第１のバルブを有し、上記第１のバルブは、上記貯蔵部内の圧力が上記反応室部内の圧力より大きいときに開となって上記反応物を上記貯蔵部から上記反応室部へ搬送するようになされ、または上記第１のバルブは、上記反応室部内の圧力が上記貯蔵部内の圧力より小さい予め定められた差分内にあるときに、閉となる上記請求項８記載のガス発生装置。
【請求項１０】
上記流れ制御装置は、隔膜を有し、上記隔膜は、上記貯蔵部内の圧力が上記反応室部内の圧力より大きいときに開となって上記反応物を上記貯蔵部から上記反応室部へ搬送するようになされ、または、上記隔膜は、上記反応室部内の圧力が上記貯蔵部内の圧力より小さい予め定められた範囲内にあるときに、閉となる請求項８記載のガス発生装置。
【請求項１１】
ガスの発生を開始させる開始装置をさらに有する請求項１記載のガス発生装置。
【請求項１２】
上記流れ制御装置は、上記反応物を上記貯蔵部から上記反応室部へ搬送可能にする第１の位置と、生成されたガスと上記反応室部から搬送可能にする第２の位置との間を往復する可動部材を有し、上記可動部材は上記バネ部材によりバイアスされる請求項１記載のガス発生装置。
【請求項１３】
生成されたガスを開放する遮断バルブをさらに有する請求項１記載のガス発生装置。
【請求項１４】
上記遮断バルブは閉位置から開位置へと循環してガスの生成を維持させる請求項１３記載のガス発生装置。
【請求項１５】
上記貯蔵部は上記反応室部に取り外し可能に結合できる請求項１記載のガス発生装置。
【請求項１６】
上記反応室部は加熱されて上記反応物を改質してガスを生成するか、または上記反応室部はガスの生成を支援する少なくとも１つの触媒を有する請求項１記載のガス発生装置。
【請求項１７】
上記貯蔵部は炭化水素、アルコール、または拡張バルーンを有する請求項１記載のガス発生装置。
【請求項１８】
上記貯蔵部または上記反応室部は開放バルブに結合される請求項１記載のガス発生装置。
【請求項１９】
バッフルが上記貯蔵部および上記反応室部の間に配置され、上記バッフルは上記反応室部から上記貯蔵部へガスを搬送可能にする請求項１または４記載のガス発生装置。
【請求項２０】
上記バッフルは複数のリブを有し、上記リブの間の間隔が均一でない請求項１９記載のガス発生装置。
【請求項２１】
上記リブの間の間隔は上記反応室部から上記貯蔵部への方向に沿って減少するか、または、上記リブは複数組のリブを有し、上記組の中でリブの間隔が均一でない請求項２０記載のガス発生装置。
【請求項２２】
反応室部と、
第１の反応物を有する貯蔵部と、
上記貯蔵部を上記反応室部に連結する流れ制御装置とを有し、
上記第１の反応物が上記貯蔵部から上記反応室部へ上記流れ制御装置を介して搬送されて反応してガスを生成し、かつ、上記反応室部の圧力が予め定められた停止圧力を越えるときに上記流れ制御装置が上記第１の反応物の搬送を停止し、
上記流れ制御装置は、当該流れ制御装置の少なくとも一部を、上記第１の反応物の搬送を可能にする第１の位置、または上記反応物の搬送を阻止する第２の位置へと移動可能である隔膜を有することを特徴とするガス発生装置。
【手続補正書】
【提出日】平成21年3月4日(2009.3.4)
【手続補正１】
【補正対象書類名】特許請求の範囲
【補正対象項目名】全文
【補正方法】変更
【補正の内容】
【特許請求の範囲】
【請求項１】
単層カーボンナノチューブの組成物であって、該単層カーボンナノチューブは、ナノチューブ径、キラリティおよび電子種類のうちの少なくとも一つにおいて実質的に単分散である、組成物。
【請求項２】
前記単層カーボンナノチューブが、ナノチューブ径において実質的に単分散であり、そしてキラリティの混合物を含む、請求項１に記載の組成物。
【請求項３】
前記単層カーボンナノチューブが、約０．７Å未満異なるナノチューブ径を有する、請求項１に記載の組成物。
【請求項４】
前記単層カーボンナノチューブが、実質的に一つのキラリティである、請求項１に記載の組成物。
【請求項５】
請求項１に記載の組成物を含む製品。
【請求項６】
請求項１に記載の組成物を含む溶液であって、該溶液は、前記単層カーボンナノチューブのナノチューブ径、キラリティ、および電子種類のうちの少なくとも一つにおける実質的な単分散性に基づく一つの色を含む、溶液。
【請求項７】
単層カーボンナノチューブの実質的に単分散の組成物を提供する方法であって、
ナノチューブ組成物と接触している流体媒体を遠心分離するステップと、
該ナノチューブ組成物を、分離された単層カーボンナノチューブの二つ以上の有色帯域に分離するステップと、
少なくとも一つの有色帯域を該流体媒体から単離するステップとを含み、
該流体媒体は密度勾配を有し、
該ナノチューブ組成物は、少なくとも一つの表面活性成分と、単層カーボンナノチューブの混合物とを含み、
該単層カーボンナノチューブの混合物は、ある範囲のナノチューブ径、キラリティおよび電子種類のうちの少なくとも一つを有し、そして
該二つ以上の有色帯域の各々が、分離された単層カーボンナノチューブを含み、該単層カーボンナノチューブは、ナノチューブ径、キラリティおよび電子種類のうちの少なくとも一つにおいて実質的に単分散である、方法。
【請求項８】
前記単層カーボンナノチューブの混合物が高圧一酸化炭素法、Ｃｏ−Ｍｏ触媒法およびレーザーアブレーション法から選択される方法によって作製され、該単層カーボンナノチューブは、該作製工程によって決定されるある範囲の直径を有する、請求項７に記載の方法。
【請求項９】
前記少なくとも一つの表面活性成分が一本鎖ＤＮＡである、請求項７に記載の方法。
【請求項１０】
前記少なくとも一つの表面活性成分が界面活性剤である、請求項７に記載の方法。
【請求項１１】
前記少なくとも一つの表面活性成分がコール酸塩、デオキシコール酸塩、タウロデオキシコール酸塩およびその組み合わせから選択されるコール酸の塩である、請求項７に記載の方法。
【請求項１２】
前記少なくとも一つの表面活性成分が、界面活性剤および共力剤を含む、請求項７に記載の方法。
【請求項１３】
前記少なくとも一つの表面活性成分が、コール酸ナトリウムおよびドデシル硫酸ナトリウムを含む、請求項７に記載の方法。
【請求項１４】
前記二つ以上の有色帯域が、前記分離された単層カーボンナノチューブの、ナノチューブ径、キラリティおよび電子種類のうちの少なくとも一つの差に基づく色の違いを含む、請求項７に記載の方法。
【請求項１５】
前記二つ以上の有色帯域の各々における前記分離された単層カーボンナノチューブが、約０．７Å未満異なる直径を有する、請求項７に記載の方法。
【請求項１６】
前記二つ以上の有色帯域の各々における前記分離された単層カーボンナノチューブが、約０．６Å未満異なる直径を有する、請求項７に記載の方法。
【請求項１７】
前記二つ以上の有色帯域の各々における前記分離された単層カーボンナノチューブが、実質的に一つの電子種類のものである、請求項７に記載の方法。
【請求項１８】
前記二つ以上の有色帯域の各々における前記分離された単層カーボンナノチューブが実質的に一つのキラリティを有する、請求項７に記載の方法。
【請求項１９】
前記接触させるステップ、遠心分離するステップおよび単離するステップを、前記二つ以上の有色帯域のうちの少なくとも一つを使用して反復するステップを含む請求項７に記載の方法。
【請求項２０】
前記接触させるステップ、遠心分離するステップおよび単離するステップを反復するステップが、先行分離のいずれか一つから少なくとも前記表面活性成分、前記流体媒体、前記密度勾配および該流体媒体のｐＨのうちのいずれか一つを変更させることを含む請求項１９に記載の方法。
【請求項２１】
前記少なくとも一つの表面活性成分を前記分離された単層カーボンナノチューブから除去して、未加工の単層カーボンナノチューブを提供するステップを含む、請求項７に記載の方法。
【請求項２２】
請求項２１に記載の方法により提供された未加工の単層カーボンナノチューブを含む製品。
【手続補正書】
【提出日】平成21年3月5日(2009.3.5)
【手続補正１】
【補正対象書類名】特許請求の範囲
【補正対象項目名】全文
【補正方法】変更
【補正の内容】
【特許請求の範囲】
【請求項１】
複数の容器を運ぶための柔軟性キャリアにおいて、
二層の柔軟性シートと、
前記二層の柔軟性シート沿いに長手方向に延設され、該二層の柔軟性シートを連結する溶接部と、
前記二層の柔軟性シートの各層に形成され横列に配列された複数の容器受容穴と、
前記容器受容穴の横列の一方の側部に沿って形成されたハンドルと、
前記容器受容穴の横列の反対側の側部に沿って形成されたパネルとを具備し、
前記横列に配列された複数の容器受容穴が、前記容器受容穴の横列の前記一方の側部へ向けて前記容器受容穴がテーパー状に形成されるようにした５本の概ね直線状の辺を含んでおり、
前記パネルが、少なくとも、前記溶接部から前記容器受容穴の前記横列の外側縁部までの距離に等しい長さのパネル高さを有している柔軟性キャリア。
【請求項２】
柔軟性キャリアに結合した複数の容器を含むパッケージにおいて、
柔軟性シートと、
前記柔軟性シートに形成され横二列に配列された容器受容穴であって、前記容器受容穴の横列の一方の側部へ向けて前記容器受容穴がテーパー状に形成されるようにした少なくとも５本の概ね直線状の辺を含み、該容器受容穴の各々が、横列に配列した容器の各々に係合するようにした容器受容穴と、
前記容器受容穴の横列の各々の間から上方に突出したハンドルと、
前記容器受容穴の横列の少なくとも一方から下方に延びるパネルであって、前記容器の各横列に対し前記パネルが概ね面一となるように延在するパネルと、
前記ハンドルと前記容器受容穴の横列との間に延設された複数のストラットを具備し、
前記複数のストラットの各外側ストラットが、前記容器受容穴の横列の長手方向の外側縁部に概ね等しい距離を以て長手方向外側に突出し、かつ、前記複数のストラットの内側ストラットの各々が、前記容器受容穴の横列と前記ハンドルとの間で幅が一定ではないように延設されているパッケージ。
【請求項３】
複数の容器を運ぶための柔軟性キャリアにおいて、
二層の柔軟性シートであって、該二層の柔軟性シート間で長手方向に延設された溶接部に連結された二層の柔軟性シートと、
前記二層の柔軟性シートの各層に形成され横列に配列された複数の容器受容穴であって、該複数の容器受容穴の各々が、テーパ状の内側縁部を形成する少なくとも５本の概ね直線状の辺を有してなる複数の容器受容穴と、
前記溶接部に一体化されたハンドルと、
前記ハンドルから反対側の溶接部の側部に一体化されたパネルとを具備し、
該パネルが、少なくとも、前記溶接部から前記容器受容穴の前記横列の外側縁部までの距離に等しい長さのパネル高さを有している柔軟性キャリア。
【請求項４】
複数の容器を運ぶための柔軟性キャリアにおいて、
手で掴むのに適したハンドルと、
複数の容器受容穴が形成された柔軟性シートであって、前記容器受容穴の各々が、テーパー状の内側縁部を形成するようにした少なくとも５本の概ね直線状の辺を含み、該柔軟性シートが前記ハンドルに連結された第１の縁部を有して成る柔軟性シートと、
前記第１の縁部とは反対側の第２の縁部に沿って前記柔軟性シートに連結されたパネルと、
前記パネルと前記複数の容器受容穴との間に形成された複数のスリットと、
前記柔軟性シートに沿って形成された付加的なパネルであって、前記パネルとは異なる形状を有している付加的なパネルとを具備し、
前記複数の容器受容穴に複数の容器が配置されているとき、前記ハンドルが予定した方向に手で把持されると、前記パネルが、前記ハンドルへ向かうよりも前記ハンドルから遠ざかる方向に前記柔軟性シートから離反するようにした柔軟性キャリア。
【請求項５】
複数の容器を運ぶための柔軟性キャリアにおいて、
柔軟性シートと、
前記柔軟性シートに形成され横二列に配列された複数の容器受容穴であって、該容器受容穴の横二列の各々は柔軟性材料から成る別々の層に形成されており、該容器受容穴の各々は、前記柔軟性キャリアの長手方向に、幅よりも２〜４倍の長さの長さを有しており、かつ、前記容器受容穴の各々が、テーパー状の内側縁部を形成するようにした少なくとも５本の概ね直線状の辺を含んで成る複数の容器受容穴と、
前記容器受容穴の横二列を隔てる中心線であって、前記容器受容穴の少なくとも１つが、前記中心線へ向けてテーパ状に形成されるようにした中心線と、
前記容器受容穴の横列の一方の側部に沿って形成されたハンドルとを具備し、前記容器受容穴の各々が前記ハンドルへ向けてテーパ状に形成されるようにしたハンドルと、
前記容器受容穴の横列の前記一方の側部の反対側の側部に沿って形成され、前記ハンドルから反対方向に延設されたパネルとを具備した柔軟性キャリア。
【請求項６】
複数の容器を運ぶための柔軟性キャリアにおいて、
中心線を有した柔軟性シートと、
前記柔軟性シートに形成され横二列に配列された複数の容器受容穴であって、該容器受容穴の横二列は前記中心線の両側に一列ずつ配置されており、かつ、前記容器受容穴の各々が、前記中心線へ向けてテーパー状に形成されるようにした少なくとも５本の概ね直線状の辺を含んで成る複数の容器受容穴と、
前記容器受容穴の横二列の間の前記中心線に沿って形成され、前記容器受容穴の横二列とは別の平面内に配置されているハンドルと、
前記容器受容穴の横列の前記一方の側部の反対側の側部に沿って形成され、前記ハンドルから反対方向に延設されたパネルであって、前記中心線から前記容器受容穴の横列の外側縁部までの距離に少なくとも等しい長さのパネル高さを有するパネルとを具備する柔軟性キャリア。
【手続補正書】
【提出日】平成20年11月14日(2008.11.14)
【手続補正１】
【補正対象書類名】明細書
【補正対象項目名】０２１３
【補正方法】変更
【補正の内容】
【０２１３】
実施例120を表１に示す。ペプチドは、樹脂にグラフトさせたアミノ酸Proから出発して合成した。出発樹脂はFmoc-Pro-2-クロロトリチル樹脂であり、これは上記のようにして調製した。線状ペプチドは、上記手順を用いて固相支持体上で次の順番で合成した: 樹脂-Pro-DPip-P11-P10-P9-P8-P7-P6-P5-P4-P3-P2-P1。その後、手順Bに記載のようにして、ジスルフィド架橋を形成させ、ペプチドを樹脂から切断し、環化させ、脱保護し、精製した。HPLC-保持時間(分)は、上記濃度勾配手法１を用いて測定した: Ex. 120 (5.48)。
【手続補正２】
【補正対象書類名】明細書
【補正対象項目名】０２２５
【補正方法】変更
【補正の内容】
【０２２５】
実施例171および176を表1に示す。ペプチドは、樹脂にグラフトさせたアミノ酸Glnから出発して合成した。出発樹脂はFmoc-Gln(Trt)-2-クロロトリチル樹脂であり、これは上記のようにして調製した。線状ペプチドは、上記手順を用いて固相支持体上で次の順番で合成した: 樹脂-Gln(Trt)-DGln(Trt)-P11-P10-P9-P8-P7-P6-P5-P4-P3-P2-P1。その後、手順Bに記載のようにして、ジスルフィド架橋を形成させ、ペプチドを樹脂から切断し、環化させ、脱保護し、精製した。上記分析方法を用いてHPLC-保持時間(分)を測定した: Ex. 171 (15.40), 176 (13.67)。
【表１−１】
2008531485.tif 000001
【表１−２】
2008531485.tif 000002
【表１−３】
2008531485.tif 000003
【表１−４】
2008531485.tif 000004
【表１−５】
2008531485.tif 000005
【表１−６】
2008531485.tif 000006
【表１−７】
2008531485.tif 000007
２.  生物学的方法
2.1.  ペプチドサンプルの調製
特に断らない限り、凍結乾燥ペプチドはマイクロバランス (Mettler MT5)で秤量し、最終濃度1mMとなるように滅菌水に溶解させた。ストック溶液は+4℃で遮光して保存した。
【手続補正書】
【提出日】平成21年2月4日(2009.2.4)
【手続補正１】
【補正対象書類名】特許請求の範囲
【補正対象項目名】全文
【補正方法】変更
【補正の内容】
【特許請求の範囲】
【請求項１】
試料収集を確実に行うための装置であって、
頂部開放容器と、
前記頂部開放容器を確実に覆って容器内容物への接近を防止する蓋と、
各々が脆弱部を有する第１及び第２の不正開封防止特徴部と、前記脆弱部は、使用時において、対応する不正開封防止特徴部が作動したときに容器内容物に対する干渉がなされたことを示すために破壊されることと
を備え、前記第１及び第２の不正開封防止特徴部は独立して作動可能であり、前記第１の不正開封防止特徴部が作動すると、前記第１の不正開封防止特徴部の脆弱部が破壊されるまで前記第２の不正開封防止特徴部の作動が防止され、前記第２の不正開封防止特徴部は、前記第１の不正開封防止特徴部の破壊された脆弱部を前記装置から除去する必要なく作動可能である装置。
【請求項２】
前記不正開封防止特徴部の少なくとも一方が、少なくともその脆弱部の破壊前においては前記蓋に取り付けられている、請求項１に記載の装置。
【請求項３】
前記第１及び第２の不正開封防止特徴部が、軸方向において位置をずらして配置される、請求項１又は２に記載の装置。
【請求項４】
前記第２の不正開封防止特徴部の脆弱部は、前記頂部開放容器を覆って前記第１の不正開封防止特徴部を作動させたときに、前記第１の不正開封防止特徴部の脆弱部と前記蓋のねじ山との間に配置される、請求項３に記載の装置。
【請求項５】
前記第１の不正開封防止特徴部の脆弱部が、カラーと、前記カラーを本体部に結合する脆弱部材とを含み、該脆弱部材が破壊されると前記カラーが前記本体部から解放される、請求項１乃至４のいずれか一項に記載の装置。
【請求項６】
前記本体部が、前記第２の不正開封防止特徴部又は前記蓋である、請求項５に記載の装置。
【請求項７】
前記カラーは、前記蓋で前記頂部開放容器を覆って前記第１の不正開封防止特徴部を作動させたときに、突出段差部を含む対応する形状部と係合するように構成され、このときに、前記カラーは、前記突出段差部上で摩擦嵌合され、かつ、隣接する溝又は凹部内で前記突出段差部の片側に密着嵌合される、請求項５又は６に記載の装置。
【手続補正書】
【提出日】平成21年2月16日(2009.2.16)
【手続補正１】
【補正対象書類名】特許請求の範囲
【補正対象項目名】全文
【補正方法】変更
【補正の内容】
【特許請求の範囲】
【請求項１】
容器であって、
内側壁および該内側壁と離間した外側壁を備え、U字形状のチャネルを含む第１の封止部分、および前記内側壁と前記外側壁とを連結する第１の中間壁を有するベースと、
内側壁および該内側壁と離間した外側壁を備え、U字形状のチャネルを含む第２の封止部分、および前記内側壁と前記外側壁とを連結する第２の中間壁を有するカバーと、
を備え、
前記ベースの前記内側壁は、第１のカットバック部分と第２のカット部分とにより画定された凸部を含み、前記ベースと前記第１の封止部分は一体形成され、
前記カバーの前記内側壁は、第３のカットバック部分と第４のカット部分とにより画定された凸部を含み、前記第２の封止部分は、前記カバーを前記ベースに着脱自在にするために、前記第１の封止部分と係合可能であり、
前記第２の封止部分の前記外側壁は、前記第１の中間壁から下方に延在して、前記第２の封止部分の前記内側壁の方に少し傾いて延在する第１の傾斜辺を形成し、該第１の傾斜辺の下方は外側に突き出て外方に突出する第１の段を形成し、該第１の段部のところから下方に延在する前記外側壁は、前記第２の封止部分の前記内側の方に少し傾いて延在する第２の傾斜辺を形成し、該第２の傾斜辺の下方は外側に突き出てフランジを形成する、
ことを特徴とする容器。
【請求項２】
前記第１の封止部分の前記外側壁は第１の封止部分の外側壁の段へと下方に延在する第１の垂直辺を含む、請求項１に記載の容器。
【請求項３】
前記第２の封止部分の前記内側壁は、第３のカットバック部分と第４のカットバック部分を有する、請求項１に記載の容器。
【請求項４】
前記第１の封止部分の前記外側壁は、前記第１の封止部分の外側壁の段から外側に突き出たフランジへと続く第２の垂直辺を含む、請求項２に記載の容器。
【請求項５】
前記第１と第２の封止部分は、前記第１のカットバック部分と前記第３のカットバック部分が互いに位置が合い当接し、前記第２のカットバック部分と前記第４のカットバック部分が互いに位置が合い当接する完全係合位置を有する形状をもつ、請求項３に記載の容器。
【手続補正書】
【提出日】平成21年2月9日(2009.2.9)
【手続補正１】
【補正対象書類名】特許請求の範囲
【補正対象項目名】全文
【補正方法】変更
【補正の内容】
【特許請求の範囲】
【請求項１】
容器であって、
第１の封止部分と第１の係合部分を備えた第１の上蓋と、
底面、底面から延在する周辺の側壁、開いた上部、第２の封止部分、および第２の係合部分を有する本体と、
を有し、
前記第１の上蓋の前記第１の封止部分と前記本体の前記第２の封止部分とが互いに係合されたときに、前記第１の上蓋と前記本体とが実質的に密閉された収容部分を画定するように、前記第１の上蓋の前記第１の封止部分は、前記本体の前記第２の封止部分と密閉係合でき、前記第１の上蓋の前記第１の係合部分と前記本体の前記第２の係合部分とは系合可能で、
前記上蓋の前記第１の封止部分と前記本体の前記第２の封止部分はロックリングを有し、前記第１の封止部分の前記ロックリングと前記第２の封止部分の前記ロックリングとはそれぞれ、内側壁、保持ビードおよび外側壁を有し、
前記第１の上蓋の前記第１の封止部分の外側壁は、同じ構成をもつ第２の上蓋の第１の封止部分の外側壁と係合してロックされる、
ことを特徴とする容器。
【請求項２】
前記第１の上蓋の第１の係合部分はカットバック部を有し、前記本体の前記第２の係合部分はアンダーカット部を有する、請求項１に記載の容器。
【請求項３】
前記第１の上蓋の第１の係合部分はリブを有し、前記本体の前記第２の係合部分は戻り止め溝を有し、前記第１の上蓋の第１の係合部分のリブは、前記本体の前記第２の係合部分の戻り止め溝と係合可能である、請求項１に記載の容器。
【請求項４】
前記第１の上蓋の第１の係合部分は戻り止め溝を有し、前記本体の前記第２の係合部分はリブを有し、前記本体の前記第２の係合部分のリブは、前記第１の上蓋の第１の係合部分の戻り止め溝と係合可能である、請求項１に記載の容器。
【請求項５】
前記本体の前記底面、前記周辺の側壁、および前記開いた上部は空洞を画定し、前記本体は、前記本体と同じ構成の第２の本体の空洞内に部分的にはめ込むことができる、請求項１に記載の容器。
【手続補正書】
【提出日】平成21年2月19日(2009.2.19)
【手続補正１】
【補正対象書類名】特許請求の範囲
【補正対象項目名】全文
【補正方法】変更
【補正の内容】
【特許請求の範囲】
【請求項１】
本体と第１の上蓋とからなる容器であって、
前記第１の上蓋は、第１の封止部分、係合部分、および整合部分を備え、
前記本体は、底面、底面から延在する周辺の側壁、開いた上部、および第２の封止部分を備え、
前記第１の封止部分は、前記本体の前記第２の封止部分と密閉係合することができ、そのことにより前記第１の封止部分と前記第２の封止部分が互いに係合されたときに、前記第１の上蓋と前記本体が密封した収容領域を画定し、
前記係合部分は、当該容器と同じ構造の第２の容器の第２の上蓋の係合部分と係合可能であり、
前記整合部分は、前記第２の上蓋の整合部分と係合可能である、
ことを特徴とする容器。
【請求項２】
前記第１と第２の封止部分はロックリングを有し、前記第１と第２の封止部分のロックリングがそれぞれ、内側壁、保持ビード、および外側壁を有する、請求項１に記載の容器。
【請求項３】
前記第１の上蓋の前記係合部分はリブと戻り止め溝を有し、前記第１の上蓋の前記係合部分のリブは、前記第２の上蓋の係合部分の戻り止め溝と係合可能である、請求項１に記載の容器。
【請求項４】
前記底面、前記周辺の側壁、および前記本体の開いた上部は、空洞を画定し、前記本体は、前記第２の本体の空洞に部分的に嵌ることができる、請求項１に記載の容器。
【請求項５】
前記第１の上蓋の前記整合部分は、フランジ、突出部、およびロックリングからなる組から選択された要素を有する、請求項１に記載の容器。
【手続補正書】
【提出日】平成21年2月19日(2009.2.19)
【手続補正１】
【補正対象書類名】特許請求の範囲
【補正対象項目名】全文
【補正方法】変更
【補正の内容】
【特許請求の範囲】
【請求項１】
容器底部と容器上蓋を有する容器であって、
容器底部が、空洞を画定し、容器底部密閉部分を有し、
容器上蓋が、空洞を画定し、容器上蓋密閉部分、容器上蓋空洞の周囲に沿って配置された第１の入れ子部分、および容器上蓋空洞の周囲に沿って配置された第２の入れ子部分を有し、
容器上蓋がまっすぐな状態のときは、容器底部密閉部分が、容器上蓋密閉部分に結合されてプラスチック容器を封止することができ、容器上蓋が逆さにされて容器底部空洞にはめ込まれたときに、第１の入れ子部分と第２の入れ子部分が、容器底部の２つの異なる部分で容器底部と接触する容器。
【請求項２】
容器上蓋は、更に、複数の容器上蓋の積み重ねに対応するロック部分と収容部分を有する、請求項１に記載の容器。
【請求項３】
容器上蓋は、更に、複数の容器上蓋の積み重ねに対応するために、内方湾曲部分、外方湾曲部分、および第３の入れ子部分を有する、請求項１に記載の容器。
【請求項４】
容器上蓋密閉部分は、外方延在部分、外方湾曲部分、内方湾曲部分、および上に折り返された把持部分を有する、請求項１に記載の容器。
【請求項５】
容器底部密閉部分は、外方延在部分、外方湾曲部分、内方湾曲部分、および下に折り返された把持部分を有する、請求項１に記載の容器。
【手続補正書】
【提出日】平成21年3月2日(2009.3.2)
【手続補正１】
【補正対象書類名】特許請求の範囲
【補正対象項目名】全文
【補正方法】変更
【補正の内容】
【特許請求の範囲】
【請求項１】
有効量の１１-デオキシ-プロスタグランジン化合物を含む、哺乳類対象における末梢血管疾患を処置するための組成物。
【請求項２】
有効量の１１-デオキシ-プロスタグランジン化合物を含む、哺乳類対象における損傷を受けた末梢血管壁を処置するための組成物。
【請求項３】
有効量の１１-デオキシ-プロスタグランジン化合物を含む、哺乳類対象における損傷を受けた末梢血管内皮細胞を処置するための組成物。
【請求項４】
該１１-デオキシ-プロスタグランジン化合物が下記一般式 (I)で表される化合物である請求項 1から3いずれかの組成物:
【化１】
2008531468.tif 000001
［式中、
ＬおよびＮは、水素、ヒドロキシ、ハロゲン、低級アルキル、ヒドロキシ(低級)アルキル、低級アルカノイルオキシまたはオキソ、ここで、５員環は少なくとも１つの二重結合を有していてもよい;
Ａは、−ＣＨ３、−ＣＨ２ＯＨ、−ＣＯＣＨ２ＯＨ、−ＣＯＯＨまたはそれらの官能性誘導体;
Ｒ１は、非置換またはハロゲン、アルキル、ヒドロキシ、オキソ、アリールまたは複素環基で置換された飽和または不飽和の二価の低〜中級脂肪族炭化水素であり、脂肪族炭化水素における少なくとも１つの炭素原子は酸素、窒素または硫黄により置換されていてもよい; そして、
Ｒ０は、非置換またはハロゲン、オキソ、ヒドロキシ、低級アルキル、低級アルコキシ、低級アルカノイルオキシ、シクロ(低級)アルキル、シクロ(低級)アルキルオキシ、アリール、アリールオキシ、複素環基または複素環オキシ基で置換された飽和または不飽和の低〜中級脂肪族炭化水素残基; 低級アルコキシ; 低級アルカノイルオキシ; シクロ(低級)アルキル; シクロ(低級)アルキルオキシ; アリール; アリールオキシ; 複素環基; 複素環オキシ基であり、脂肪族炭化水素における少なくとも１つの炭素原子は酸素、窒素または硫黄により置換されていてもよい］。
【請求項５】
該１１-デオキシ-プロスタグランジン化合物が１１-デオキシ-１３,１４-ジヒドロ-プロスタグランジン化合物である請求項 1から3いずれかの組成物。
【請求項６】
該１１-デオキシ-プロスタグランジン化合物が１１-デオキシ-１５-ケト-プロスタグランジン化合物である請求項1から3いずれかの組成物。
【請求項７】
該１１-デオキシ-プロスタグランジン化合物が１１-デオキシ-１６-モノまたはジハロゲン-プロスタグランジン化合物である請求項1から3いずれかの組成物。
【請求項８】
該１１-デオキシ-プロスタグランジン化合物が１１-デオキシ-１３,１４-ジヒドロ-１６-モノまたはジハロゲン-プロスタグランジン化合物である請求項1から3いずれかの組成物。
【請求項９】
該１１-デオキシ-プロスタグランジン化合物が１１-デオキシ-１５-ケト-１６-モノまたはジハロゲン-プロスタグランジン化合物である請求項1から3いずれかの組成物。
【請求項１０】
該１１-デオキシ-プロスタグランジン化合物が１１-デオキシ-１３,１４-ジヒドロ-１５-ケト-１６-モノまたはジハロゲン-プロスタグランジン化合物である請求項1から3いずれかの組成物。
【請求項１１】
該１１-デオキシ-プロスタグランジン化合物が１１-デオキシ-１３,１４-ジヒドロ-１５-ケト-１６-モノまたはジフルオロ-プロスタグランジン化合物である請求項1から3いずれかの組成物。
【請求項１２】
該１１-デオキシ-プロスタグランジン化合物が１１-デオキシ-１３,１４-ジヒドロ-１５-ケト-１６-モノまたはジハロゲン-プロスタグランジンＥまたはＦ化合物である請求項1から3いずれかの組成物。
【請求項１３】
該プロスタグランジン化合物が１１-デオキシ-１３,１４-ジヒドロ-１５-ケト-１６-モノまたはジフルオロ-プロスタグランジンＥまたはＦ化合物である請求項1から3いずれかの組成物。
【請求項１４】
該プロスタグランジン化合物が１１-デオキシ-１３,１４-ジヒドロ-１５-ケト-１６,１６-ジフルオロ-プロスタグランジンＥ１化合物である請求項1から3いずれかの組成物。
【請求項１５】
該末梢血管疾患が末梢動脈疾患である請求項 1または4から14いずれかの組成物。
【請求項１６】
該末梢動脈疾患が動脈硬化症である請求項 15の組成物。
【手続補正書】
【提出日】平成21年2月4日(2009.2.4)
【手続補正１】
【補正対象書類名】明細書
【補正対象項目名】０００６
【補正方法】変更
【補正の内容】
【０００６】
従って、本発明の目的は、鋼腐食抵抗性の最適な組み合わせと最適な溶接性とを有し、そして、自動車シャシ製造用又は屋内電気機器製造用の材料としての使用に特に適当なフラット鋼生成物（Stahlflachprodukt）をつくることであった。
【手続補正２】
【補正対象書類名】明細書
【補正対象項目名】０００８
【補正方法】変更
【補正の内容】
【０００８】
各側に最大で２５ｇ／ｍ２のコーティング重量を有する先行技術に対して、本発明によるどぶ漬けガルバナイジングされたフラット鋼生成物は、最小限のコーティング重量で優れた腐食抵抗性を有している。低いコーティング重量と、それに関連する各側最大３．５μｍの低いコーティングの厚さと、更に、高い腐食抵抗性とが組み合わされることによって、本発明によるシート又はストリップは、個々のシートエレメントの溶接によって製造される部品の製造用に特に適当である。従って、本発明によるシート又はストリップから形成される個々のシート部品を、高い溶接速度でのレーザービームによって、経済的に、そして、最適な結果を伴って溶接することができるという点で、本発明によって製造される鋼板を用いて自動車シャシ又は屋内電気機器技術用のエレメントを製造することができる。
【手続補正３】
【補正対象書類名】明細書
【補正対象項目名】００１９
【補正方法】変更
【補正の内容】
【００１９】
溶融浴上でのスラグの偏り及び金属間相（intermetallische Phasen）の形成を防止するために、前記浴の表面上へ、不活性気体流を導くことが好ましい。前記不活性気体流は、コーティングの厚さを調節するために使用されるストリッパーノズルから導かれるか、又は、霧状に不活性気体を浴表面へ分散させるセパレートノズルから供給されることができる。あるいは、不活性雰囲気を保持している囲いによって、溶融浴全体を取り囲むこともできる。前記目的用に特に適当な不活性気体としては、窒素を挙げることができる。
【手続補正書】
【提出日】平成21年2月3日(2009.2.3)
【手続補正１】
【補正対象書類名】特許請求の範囲
【補正対象項目名】全文
【補正方法】変更
【補正の内容】
【特許請求の範囲】
【請求項１】
複合ポリマー繊維であって、
ポリマー充填剤材料と、
前記充填剤材料内に配置された複数のポリマー散乱繊維であって、前記複合ポリマー繊維の長手方向の軸に実質的に平行な長手方向の軸を有する複数のポリマー散乱繊維とを含み、
前記充填剤材料および前記散乱繊維の少なくとも一方が、複屈折性材料から形成され、前記充填剤材料および前記散乱繊維の屈折率が、前記複合ポリマー繊維に第１の偏光状態で入射する光について実質的に整合し、前記第１の偏光状態に直交する第２の偏光状態で入射する光について実質的に整合しない、複合ポリマー繊維。
【請求項２】
ポリマーマトリックスと、
前記ポリマーマトリックス内に配置された複数のポリマー複合繊維であって、前記ポリマー複合繊維の少なくとも１つが、第１のポリマー材料の複数の散乱繊維を、前記第１のポリマー材料と異なる第２のポリマー材料の充填剤内に含み、前記ポリマー複合繊維が、前記ポリマーマトリックス内に実質的に平行に配列され、前記ポリマーマトリックス、前記第１のポリマー材料、および前記第２のポリマー材料の少なくとも１つが、複屈折性である、複数のポリマー複合繊維とを含む光学体。
【請求項３】
光学体を製造する方法であって、
複合繊維を押出す工程であって、各複合繊維が、第２のポリマーから製造された充填剤内に分散された、第１のポリマーから製造された複数の散乱繊維を含み、前記第２のポリマーが可溶性である工程、前記第１のポリマーを、その第１のポリマーが複屈折性になるように配向する工程、配向された複合繊維を含むヤーンを形成する工程、溶媒で洗浄して、第２のポリマーを除去する工程、ヤーンのアレイを形成する工程であって、ここで、ヤーンのアレイは好ましい配向を有する工程、ヤーンのアレイに樹脂を染み込ませる工程、及び樹脂を固める工程を具備する、方法。
【手続補正書】
【提出日】平成20年11月17日(2008.11.17)
【手続補正１】
【補正対象書類名】特許請求の範囲
【補正対象項目名】全文
【補正方法】変更
【補正の内容】
【特許請求の範囲】
【請求項１】
形式的な共重合構成成分として、
ａ）他の官能基を有しない、少なくとも１種のオレフィン７５〜９９．９モル％、
ｂ１）少なくとも１種のアルケニルオキシアルキル（メタ）アクリレート及び／又はアリルオキシアルキル（メタ）アクリレート０．１〜１５モル％
及び／又は
ｂ２）少なくとも１種の（メタ）アクリロイルオキシアルキル（メタ）アクリレート及び／又は（メタ）アクリロイルオキシアルキル（メタ）アクリルアミド０．１〜２５モル％及び
ｃ）場合により少なくとも１種の、ａ）、ｂ１）及びｂ２）と異なる、少なくとも１個の官能基を有するモノマー０〜２５モル％
を各々重合加入形で含有する、（メタ）アクリル化ポリオレフィン蝋の製造法において、次の段階：
（１）以下
Ａ）他の官能基を有しない、少なくとも１種のオレフィン、
Ｂ１）少なくとも１種のヒドロキシアルキルアルケニルエーテル及び／又はヒドロキシアルキルアリルエーテル及び／又は
Ｂ２）少なくとも１種のヒドロキシアルキル（メタ）アクリレート及び／又はヒドロキシアルキル（メタ）アクリルアミド及び
Ｃ）場合により少なくとも１種の、Ａ）、Ｂ１）及びＢ２）と異なった、少なくとも１個の官能基を有するモノマー
の共重合によりポリオレフィン蝋を製造する段階、
（２）場合により、得られたポリオレフィン蝋を精製する段階、
（３）（１）又は（２）から得られるポリオレフィン蝋と（メタ）アクリル酸とのエステル化及び／又は（メタ）アクリル酸エステルとのエステル交換をする段階、
（４）場合により、得られた（メタ）アクリル化ポリオレフィン蝋を精製する段階
を含み、
その際、エステル化又はエステル交換を少なくとも１種の酵素の存在で実施することを特徴とする方法。
【請求項２】
オレフィンａ）は、エチレン、プロピレン、１−ブテン、２−ブテン、イソ−ブテン、１−ペンテン、２−ペンテン、１−ヘキセン、１−オクテン、数平均分子量Ｍｎ１００〜１０００ダルトンを有するポリイソブテン、シクロペンテン、シクロヘキセン、ブタジエン、イソプレン及びスチレンを含む群から選択される、請求項１に記載の方法。
【請求項３】
モノマーＢ１）は、式（ＩＶ）：
【化１】
2008531806.tif 000001
［式中、Ｒ２は水素又はメチルを表し、かつ
Ｒ３は、アリール、アルキル、アリールオキシ、アルキルオキシ、ヘテロ原子及び／又は複素環によって場合により置換されたＣ２〜Ｃ２０−アルキレン、Ｃ５〜Ｃ１２−シクロアルキレン又はＣ６〜Ｃ１２−アリーレン又は１個以上の酸素原子及び／又は硫黄原子及び／又は１個以上の置換又は非置換のイミノ基によって及び／又は１個以上のシクロアルキル−基、−（ＣＯ）−基、−Ｏ（ＣＯ）Ｏ−基、−（ＮＨ）（ＣＯ）Ｏ−基、−Ｏ（ＣＯ）（ＮＨ）−基、−Ｏ（ＣＯ）−基又は−（ＣＯ）Ｏ−基によって中断されたＣ２〜Ｃ２０−アルキレンを表す］のヒドロキシアルキルアルケニルエーテル又はヒドロキシアルキルアリルエーテルである、請求項１又は２に記載の方法。
【請求項４】
モノマーＢ２）は、式（Ｖ）：
【化２】
2008531806.tif 000002
［式中、Ｒ５は水素又はメチルを表し、かつ
Ｒ６は、アリール、アルキル、アリールオキシ、アルキルオキシ、ヘテロ原子及び／又は複素環によって場合により置換されたＣ１〜Ｃ２０−アルキレン、Ｃ５〜Ｃ１２−シクロアルキレン又はＣ６〜Ｃ１２−アリーレン又は１個以上の酸素原子及び／又は硫黄原子及び／又は１個以上の置換又は非置換のイミノ基によって及び／又は１個以上のシクロアルキル−基、−（ＣＯ）−基、−Ｏ（ＣＯ）Ｏ−基、−（ＮＨ）（ＣＯ）Ｏ−基、−Ｏ（ＣＯ）（ＮＨ）−基、−Ｏ（ＣＯ）−基又は−（ＣＯ）Ｏ−基によって中断されたＣ２〜Ｃ２０−アルキレンを表す］のヒドロキシアルキル（メタ）アクリレート又はヒドロキシアルキル（メタ）アクリルアミドである、請求項１又は２に記載の方法。
【請求項５】
モノマーＣ）を、Ｃ１〜Ｃ２０−アルキル（メタ）アクリレート、２０個までのＣ−原子を有するカルボン酸のビニルエステル、エチレン系不飽和ニトリル、１〜１０個のＣ−原子を有するアルコールのビニルエーテル及びα，β−非飽和カルボン酸及びその無水物を含む群から選択する、請求項１から４までのいずれか１項に記載の方法。
【請求項６】
反応を少なくとも１種の重合抑制剤の存在で０〜１００℃で１〜７２時間の反応時間で実施する、請求項１から５までのいずれか１項に記載の方法。
【請求項７】
ヒドロキシアルキル基を有するポリオレフィン蝋中に含有されるヒドロキシ官能基の１０〜８０％がエステル化又はエステル交換される、請求項１から６までのいずれか１項に記載の方法。
【請求項８】
ヒドロキシアルキル基を有するポリオレフィン蝋中に含有されるヒドロキシ官能基の少なくとも８０％がエステル化又はエステル交換される、請求項１から６までのいずれか１項に記載の方法。
【請求項９】
顔料用の分散剤、特にＰＶＣ−ポリマー用の滑剤、塗料用の艶消し剤、印刷インキ用の界面活性剤、皮革被覆、織物被覆として又は放射硬化可能な及び／又は熱硬化可能な被覆組成物中での、請求項１から８までのいずれか１項に記載の方法により得られたポリオレフィン蝋の使用。
【請求項１０】
請求項１から８までのいずれか１項に記載の方法により得られた（メタ）アクリル化ポリオレフィン蝋、及び次の成分：
（Ｇ）数個の共重合可能なエチレン系不飽和基を有する、少なくとも１種の重合可能な化合物、
（Ｈ）場合により、反応性希釈剤、
（Ｉ）場合により、光重合開始剤及び
（Ｊ）場合により、他の塗料用添加剤
を含有する被覆組成物。
【手続補正書】
【提出日】平成21年2月18日(2009.2.18)
【手続補正１】
【補正対象書類名】特許請求の範囲
【補正対象項目名】全文
【補正方法】変更
【補正の内容】
【特許請求の範囲】
【請求項１】
（ａ）ポリエステルポリオール、ポリエーテルポリオール、アクリルポリオール、ポリカーボネートポリオール、ポリブタジエンポリオール、水素化ポリブタジエンポリオール、官能化ポリエーテル及び／又はポリウレタン、及び
（ｂ）式（１０１）及び／又は（１０２）
【化１】
2008531801.tif 000001
で表わされる抗酸化剤、及び
（ｃ）所望により、熱分解に対する更なる抗酸化剤
を含む組成物であるが、
但し、成分（ｂ）が式（１０１）で表わされる抗酸化剤である場合、該組成物は更なる抗酸化剤（ｃ）を含み、
成分（ａ）がポリウレタンであり、かつ成分（ｂ）が式（１０２）で表わされる抗酸化剤である場合、成分（ｃ）は該組成物中に存在し、
抗酸化剤が式（１０１）で表わされる化合物と式（１０３）
【化２】
2008531801.tif 000002
で表わされる化合物の組み合わせ、又は、式（１０１）で表わされる化合物と式（１０４）
【化３】
2008531801.tif 000003
で表わされる化合物の組み合わせである場合、成分（ａ）はポリエステルポリオール、ポリエーテルポリオール又はポリウレタンではない組成物。
【請求項２】
更なる抗酸化剤（ｃ）が式（１０３）ないし（１０８）
【化４】
2008531801.tif 000004
で表わされる化合物である請求項１に記載の組成物。
【請求項３】
更なる添加剤を含む請求項１に記載の組成物。
【請求項４】
更なる添加剤として、（ｂ）及び（ｃ）とは異なる抗酸化剤、光安定剤、加工安定剤、難燃剤、抗菌剤、抗ガスフェーディング剤（ａｎｔｉｇａｓｆａｄｉｎｇ）及び／又は蛍光増白剤を含む請求項３に記載の組成物。
【請求項５】
更なる添加剤として、フェノール系抗酸化剤及び／又はアミン系抗酸化剤、ヒンダードアミン光安定剤、ＵＶ吸収剤、ホスフィット、ホスホナイト、ベンゾフラノン及び／又は難燃剤を含む請求項４に記載の組成物。
【請求項６】
（ｂ）請求項１で定義した式（１０１）及び／又は（１０２）で表わされる抗酸化剤及び（ｃ）所望により熱分解に対する更なる抗酸化剤を用いた、熱分解に対して（ａ）ポリエステルポリオール、ポリエーテルポリオール、アクリルポリオール、ポリカーボネートポリオール、ポリブタジエンポリオール、水素化ポリブタジエンポリオール、官能化ポリエーテル及び／又はポリウレタンを安定化するための方法であるが、但し、成分（ｂ）が式（１０１）で表わされる抗酸化剤であり、かつ成分（ｃ）が存在しない場合、成分（ａ）はポリウレタンではないところの方法。
【手続補正書】
【提出日】平成21年2月17日(2009.2.17)
【手続補正１】
【補正対象書類名】特許請求の範囲
【補正対象項目名】全文
【補正方法】変更
【補正の内容】
【特許請求の範囲】
【請求項１】
ＫＦを触媒として使用して、非プロトン性有機溶剤の存在下で、酸化ヘキサフルオロプロピレンとヘキサフルオロプロペンの混合物を重合するステップを含む、酸化ヘキサフルオロプロピレンのオリゴマー化の方法。